(57)【要約】【課題】構成が簡単化された昇圧トランスを用いるときにも、電気的構成の複雑化を招くことなく、温度が低いときにも冷陰極管を確実に点灯させる。【解決手段】液晶パネルのバックライトの光源となる冷陰極管２を点灯する点灯駆動出力を生成するインバータ回路１と、動作電源となる直流出力２１を生成してインバータ回路１に供給する電源部３とを備えた構成において、冷陰極管２の点灯の開始となるときには電源部３がインバータ回路１に供給する直流出力２１の電圧を通常時電圧より高い初期時電圧に設定し、冷陰極管２の点灯を開始して後、所定の期間である初期電圧印加期間が経過したときには、直流出力２１の電圧を通常時電圧まで降下させる点灯制御手段１５を備えている。【選択図】  図１
0003108916.tif 000002
【実用新案登録請求の範囲】
【請求項１】
液晶パネルのバックライトの光源となる冷陰極管を点灯する点灯駆動出力を生成するインバータ回路と、
動作電源となる直流出力を生成してインバータ回路に供給する電源部とを備えた液晶表示装置において、
冷陰極管の温度を検出する温度センサと、
電源部がインバータ回路に供給する直流出力の電圧を通常時電圧より高い電圧である初期時電圧に設定して冷陰極管の点灯を開始し、冷陰極管の点灯を開始した後には段階的に前記直流出力の電圧を降下させることによって、冷陰極管の点灯を開始してから所定の期間である初期電圧印加期間が経過したときには、電源部がインバータ回路に供給する直流出力の電圧を通常時電圧とする点灯制御手段とを備え、
点灯制御手段は、温度センサにより検出された温度が高くなるときには低くなる方向に、前記温度が低くなるときには高くなる方向に、前記温度に対応して初期時電圧を変化させるとともに、前記温度が高くなるときには短くなる方向に、前記温度が低くなるときには長くなる方向に、前記温度に対応して初期電圧印加期間を変化させることを特徴とする液晶表示装置。
【請求項２】
液晶パネルのバックライトの光源となる冷陰極管を点灯する点灯駆動出力を生成するインバータ回路と、
動作電源となる直流出力を生成してインバータ回路に供給する電源部とを備えた液晶表示装置において、
冷陰極管の点灯の開始となるときには電源部がインバータ回路に供給する直流出力の電圧を通常時電圧より高い電圧である初期時電圧に設定し、冷陰極管の点灯を開始して後、所定の期間である初期電圧印加期間が経過したときには、電源部がインバータ回路に供給する直流出力の電圧を通常時電圧まで降下させる点灯制御手段を備えたことを特徴とする液晶表示装置。
【請求項３】
冷陰極管の温度を検出する温度センサを備え、
点灯制御手段は、温度センサにより検出された温度が高くなるときには低くなる方向に、前記温度が低くなるときには高くなる方向に、前記温度に対応して初期時電圧を変化させることを特徴とする請求項２に記載の液晶表示装置。
【請求項４】
点灯制御手段は、温度センサにより検出された温度が高くなるときには短くなる方向に、前記温度が低くなるときには長くなる方向に、前記温度に対応して初期電圧印加期間を変化させることを特徴とする請求項２または請求項３に記載の液晶表示装置。
【請求項５】
液晶パネルのバックライトの光源となる冷陰極管を点灯する点灯駆動出力を生成するインバータ回路と、
インバータ回路の動作電源となる直流出力であり、その電圧が通常時電圧より高い電圧である初期時電圧の第１の直流出力と、インバータ回路の動作電源となる直流出力であり、その電圧が通常時電圧である第２の直流出力とを生成する電源部とを備えた液晶表示装置において、
冷陰極管の点灯の開始となるときにはインバータ回路に第１の直流出力を供給し、冷陰極管の点灯を開始して後、所定の期間である初期電圧印加期間が経過したときには、インバータ回路に供給する直流出力を第１の直流出力から第２の直流出力に切り換える点灯制御手段を備えたことを特徴とする液晶表示装置。
【請求項６】
冷陰極管の温度を検出する温度センサを備え、
点灯制御手段は、温度センサにより検出された温度が高くなるときには短くなる方向に、前記温度が低くなるときには長くなる方向に、前記温度に対応して初期電圧印加期間を変化させることを特徴とする請求項５に記載の液晶表示装置。
【考案の詳細な説明】
【技術分野】
【０００１】
本考案は、液晶パネルのバックライトの光源となる冷陰極管を点灯する点灯駆動出力を生成するインバータ回路を備えた液晶表示装置に係り、より詳細には、通常時電圧より高い電圧の直流出力をインバータ回路に供給して冷陰極管の点灯を開始して後、所定の期間が経過したときには、インバータ回路に供給する動作電源の電圧を通常時電圧まで降下させる液晶表示装置に関するものである。
【背景技術】
【０００２】
液晶表示装置に使用されるバックライトの光源には、多くの場合、冷陰極管が使用される。この冷陰極管の点灯を開始するには、点灯を維持するための動作電圧より高い電圧のパルスを印加する必要がある。このため、例えば、図８（Ａ）に示したように、動作電源の供給を開始したときには、高圧のパルスＰ９１を発生した後、通常の点灯用パルスＰ９２を発生するインバータ回路が使用されている。しかし、冷陰極管は、温度が低いときにはガス圧が低く、点灯を開始しにくいので、図５に特性を示したように、温度が低いときには印加する電圧を高くしなければならないという性質がある。このため、低温時では、高圧のパルスＰ９１を１回だけ印加したのみでは、点灯を開始しないことがある。
【０００３】
図７は、このような問題を解消するために提案された技術を示している（第１の従来技術とする）。すなわち、動作電源の供給を開始したときには、１つの高圧のパルスＰ９１を発生した後、通常の点灯用パルスＰ９２を発生するインバータ回路９２に、トランジスタＱ９を介して、定電圧直流電源９１からの動作電源を導いている。そして、三角波を発生する発振回路９５の出力がプラス入力に導かれ、抵抗Ｒ９とコンデンサＣ９とからなる積分回路の出力がマイナス入力に導かれた比較器９４を備えている。また、比較器９４の出力を用いて、トランジスタＱ９のオンオフを制御している。
【０００４】
このため、定電圧直流電源９１が動作電源の出力を開始すると、積分回路の時定数により定まる期間において、トランジスタＱ９は、発振回路９５の発振周波数に等しい周期でオンとオフとに切り換わる。また、定電圧直流電源９１が動作電源の出力を開始した時刻から時間が経過するのに対応して、オンする期間の比率が徐々に高くなり、ついにはオン状態を維持するようになる。このため、インバータ回路９２からは、図８（Ｂ）に示したように、高い電圧のパルスＰ９１が複数回出力される。また、通常の点灯用パルスＰ９２の出力される期間が徐々に長くなり、ついには、連続して出力されるようになる。このため、冷陰極管９３は、温度が低い場合であっても、確実に点灯を開始することになる（例えば、特許文献１参照）。
【０００５】
また、図９に示す技術が提案されている（第２の従来技術とする）。すなわち、この技術では、高圧を発生する昇圧トランスＴ１１に、一次コイルＬ１１と二次コイルＬ１２との結合の度合いが小さくなるように、一次コイルＬ１１と二次コイルＬ１２とが巻回されたトランスを用いている。このため、一次コイルＬ１１に流れる電流をスイッチングすると、二次コイルＬ１２からは、図３の４１に示したような点灯駆動出力が送出される。
【０００６】
この点灯駆動出力におけるリンギングパルスのレベルをＶ４１により示し、一次コイルＬ１１と二次コイルＬ１２との巻線比によって定まる出力電圧をＶ４２により示すとすると、一次コイルＬ１１と二次コイルＬ１２との結合の度合いが小さいので、リンギング（オーバーシュート）が大きくなる。従って、比率（Ｖ４１／Ｖ４２）は大きくなる。つまり、点灯駆動出力のＰ−Ｐ値は大きな値となる。従って、冷陰極管２には、Ｐ−Ｐ値の大きい点灯駆動出力が印加されることになるので、冷陰極管２は容易にグロー放電を開始する。そして、グロー放電が開始された後には、冷陰極管２に電流が流れ、二次コイルＬ１２の負荷は、無負荷に等価な状態から通常の負荷状態に移行する。その結果、二次コイルＬ１２の出力電圧は、一次コイルＬ１１と二次コイルＬ１２との巻回数の比率により定まる電圧Ｖ４２となり、この電圧によって、以後、点灯が維持されることになる。
【特許文献１】特開平５−３２６１６５号公報
【考案の開示】
【考案が解決しようとする課題】
【０００７】
しかしながら、第１の従来技術を用いるときでは、以下に示す問題を生じていた。すなわち、トランジスタＱ９をオンにして、インバータ回路９２に動作電源の供給を開始すると、昇圧トランスの一次コイルを通って接地レベルに突入電流が流れ、この突入電流による逆起電力によって、二次コイルに高い電圧のパルスＰ９１が発生するとされているが、コイルの性質としては、突入電流が流れにくい性質を備えている（コンデンサの場合には、動作電源の供給の開始時に突入電流が流れることは良く知られている）。このため、突入電流によって、冷陰極管９３の点灯を開始させるだけの高い電圧のパルスＰ９１を二次コイルに発生させるには、昇圧トランスに特殊な構成のトランスを用いる必要があるので、昇圧トランスが高価なものとなっている。また、オンとなる時間的な比率を徐々に大きくした後、オン状態が継続するようにトランジスタＱ９を制御する必要がある。このため、トランジスタＱ９のオンオフをマイクロコンピュータでもって制御する場合でも、制御の方法が複雑となり、ソフトウエアの作成に手間を要することになる。
【０００８】
第２の従来技術を用いる場合には、以下に示す問題を生じていた。すなわち、一次コイルＬ１１と二次コイルＬ１２との結合の度合いが小さいトランスを製作するには、一次コイルと二次コイルとを同軸に巻回することができず、個別に巻回する必要がある。また、一次コイルＬ１１と二次コイルＬ１２とを結合する磁気回路となるコアに、磁束を漏洩させるためのギャップを形成する必要がある。このため、トランスの構造が複雑化し、トランスが高価なものとなっていた。
【０００９】
また、冷陰極管の一般的な性質として、点灯が開始されたときであっても、冷陰極管の温度が低いときでは、冷陰極管の温度が高くなるまでの期間では、輝度が不足するという現象がしばしば生じる。しかし、この現象については、第１の従来技術や第２の従来技術を用いるときもに、解消することのできない問題として残されることになる。
【００１０】
本考案は、上記の問題点を解決するため創案されたものであり、その目的は、構成が簡単化された昇圧トランスを用いるときにも、電気的構成の複雑化を招くことなく、温度が低いときにも冷陰極管を確実に点灯させることのでき、且つ、冷陰極管の点灯の開始を確実なものとするときにも、点灯駆動出力の電圧が高いことが原因となる冷陰極管の劣化を抑制することのでき、且つ、冷陰極管の点灯の開始後の輝度の不足を防止するときにも、点灯駆動出力の電圧の高い期間の長さが原因となる冷陰極管の劣化を抑制することでき、且つ、表示される画像の明るさの変化を目立たないものとすることのできる液晶表示装置を提供することにある。
【００１１】
また本考案の目的は、冷陰極管の点灯の開始となるときには、インバータ回路に供給する直流出力の電圧を通常時電圧より高くし、冷陰極管の点灯を開始して後、所定の期間が経過したときには、インバータ回路に供給する直流出力の電圧を通常時電圧まで降下させることにより、構成が簡単化された昇圧トランスを用いるときにも、電気的構成の複雑化を招くことなく、温度が低いときにも冷陰極管を確実に点灯させることのできる液晶表示装置を提供することにある。
【００１２】
また上記目的に加え、冷陰極管の温度が高くなるときには低くなる方向に、前記温度が低くなるときには高くなる方向に、点灯の開始時にインバータ回路に供給する直流出力の電圧を変化させることにより、冷陰極管の点灯の開始を確実なものとするときにも、点灯駆動出力の電圧が高いことが原因となる冷陰極管の劣化を抑制することのできる液晶表示装置を提供することにある。
【００１３】
また上記目的に加え、冷陰極管の温度が高くなるときには短くなる方向に、前記温度が低くなるときには長くなる方向に、通常時電圧より高い電圧の直流出力をインバータ回路に供給する期間を変化させることにより、冷陰極管の点灯の開始後の輝度の不足を防止するときにも、点灯駆動出力の電圧の高い期間が長くなることにより生じる冷陰極管の劣化を抑制することのできる液晶表示装置を提供することにある。
【課題を解決するための手段】
【００１４】
上記の課題を解決するため、本考案に係る液晶表示装置は、液晶パネルのバックライトの光源となる冷陰極管を点灯する点灯駆動出力を生成するインバータ回路と、動作電源となる直流出力を生成してインバータ回路に供給する電源部とを備えた液晶表示装置に適用している。そして、冷陰極管の温度を検出する温度センサと、電源部がインバータ回路に供給する直流出力の電圧を通常時電圧より高い初期時電圧に設定して冷陰極管の点灯を開始し、冷陰極管の点灯を開始した後には段階的に前記直流出力の電圧を降下させることによって、冷陰極管の点灯を開始してから所定の期間である初期電圧印加期間が経過したときには、電源部がインバータ回路に供給する直流出力の電圧を通常時電圧とする点灯制御手段とを備えており、点灯制御手段は、温度センサにより検出された温度が高くなるときには低くなる方向に、前記温度が低くなるときには高くなる方向に、前記温度に対応して初期時電圧を変化させるとともに、前記温度が高くなるときには短くなる方向に、前記温度が低くなるときには長くなる方向に、前記温度に対応して初期電圧印加期間を変化させる。
【００１５】
すなわち、インバータ回路は、入力される直流出力の電圧が高いときには、点灯駆動出力の電圧を高くする。従って、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温時においても点灯を確実に開始させることが可能なグロー放電を得られる電圧が印加される。また、インバータ回路に入力される直流出力の電圧を、初期時電圧から通常時電圧に切り換える制御は簡単な制御となる。且つ、冷陰極管の温度が低いときには点灯駆動出力の電圧が高くなって、点灯を確実なものとする。また、冷陰極管の温度が低くないときには、点灯駆動出力の電圧が低くなって、冷陰極管に印加される電圧が過度に高くなることが抑制される。且つ、冷陰極管の温度が低いときには、点灯駆動出力の電圧の高い期間が長くなり、点灯駆動出力の電圧が通常時電圧まで降下するときには、冷陰極管は充分に温まった状態となっている。また、冷陰極管の温度が低くないときでは、短時間のうちに点灯駆動出力の電圧が通常時電圧まで降下する。また、インバータ回路に入力される直流出力の電圧を段階的に変化させる場合では、点灯駆動出力の電圧が段階的に変化するので、冷陰極管の輝度は微少な幅でもって変化する。
【００１６】
また本考案に係る液晶表示装置は、液晶パネルのバックライトの光源となる冷陰極管を点灯する点灯駆動出力を生成するインバータ回路と、動作電源となる直流出力を生成してインバータ回路に供給する電源部とを備えた液晶表示装置に適用している。そして、冷陰極管の点灯の開始となるときには電源部がインバータ回路に供給する直流出力の電圧を通常時電圧より高い初期時電圧に設定し、冷陰極管の点灯を開始して後、所定の期間である初期電圧印加期間が経過したときには、電源部がインバータ回路に供給する直流出力の電圧を通常時電圧まで降下させる点灯制御手段を備えている。
【００１７】
すなわち、インバータ回路は、入力される直流出力の電圧が高いときには、点灯駆動出力の電圧を高くする。従って、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温時においても点灯を確実に開始させることが可能なグロー放電を得られる電圧が印加される。また、インバータ回路に入力される直流出力の電圧を、初期時電圧から通常時電圧に切り換える制御は簡単な制御となる。
【００１８】
また上記構成に加え、冷陰極管の温度を検出する温度センサを備え、点灯制御手段は、温度センサにより検出された温度が高くなるときには低くなる方向に、前記温度が低くなるときには高くなる方向に、前記温度に対応して初期時電圧を変化させる。すなわち、冷陰極管の温度が低いときには点灯駆動出力の電圧が高くなって、点灯を確実なものとする。また、冷陰極管の温度が低くないときには、点灯駆動出力の電圧が低くなって、冷陰極管に印加される電圧が過度に高くなることが抑制される。
【００１９】
また上記構成に加え、点灯制御手段は、温度センサにより検出された温度が高くなるときには短くなる方向に、前記温度が低くなるときには長くなる方向に、前記温度に対応して初期電圧印加期間を変化させる。すなわち、冷陰極管の温度が低いときには、点灯駆動出力の電圧の高い期間が長くなり、点灯駆動出力の電圧が通常時電圧まで降下するときには、冷陰極管は充分に温まった状態となっている。また、冷陰極管の温度が低くないときでは、短時間のうちに点灯駆動出力の電圧が通常時電圧まで降下する。
【００２０】
また本考案に係る液晶表示装置は、液晶パネルのバックライトの光源となる冷陰極管を点灯する点灯駆動出力を生成するインバータ回路と、インバータ回路の動作電源となる直流出力であり、その電圧が通常時電圧より高い初期時電圧である第１の直流出力と、インバータ回路の動作電源となる直流出力であり、その電圧が通常時電圧である第２の直流出力とを生成する電源部とを備えた液晶表示装置に適用している。そして、冷陰極管の点灯の開始となるときにはインバータ回路に第１の直流出力を供給し、冷陰極管の点灯を開始して後、所定の期間である初期電圧印加期間が経過したときには、インバータ回路に供給する直流出力を第１の直流出力から第２の直流出力に切り換える点灯制御手段を備えている。
【００２１】
すなわち、インバータ回路は、入力される直流出力の電圧が高いときには、点灯駆動出力の電圧を高くする。従って、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温時においても点灯を確実に開始させることが可能なグロー放電を得られる電圧が印加される。また、インバータ回路に入力される直流出力の電圧を、第１の直流出力から第２の直流出力に切り換える制御は簡単な制御となる。
【００２２】
また上記構成に加え、冷陰極管の温度を検出する温度センサを備え、点灯制御手段は、温度センサにより検出された温度が高くなるときには短くなる方向に、前記温度が低くなるときには長くなる方向に、前記温度に対応して初期電圧印加期間を変化させる。すなわち、冷陰極管の温度が低いときには、点灯駆動出力の電圧の高い期間が長くなり、点灯駆動出力の電圧が通常時電圧まで降下するときには、冷陰極管は充分に温まった状態となっている。また、冷陰極管の温度が低くないときでは、短時間のうちに点灯駆動出力の電圧が通常時電圧まで降下する。
【考案の効果】
【００２３】
本考案によれば、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温時においても点灯を確実に開始させることが可能なグロー放電を得られる電圧が印加される。また、インバータ回路に入力される直流出力の電圧を、初期時電圧から通常時電圧に切り換える制御は簡単な制御となる。且つ、冷陰極管の温度が低いときには点灯駆動出力の電圧が高くなって、点灯を確実なものとする。また、冷陰極管の温度が低くないときには、点灯駆動出力の電圧が低くなって、冷陰極管に印加される電圧が過度に高くなることが抑制される。且つ、冷陰極管の温度が低いときには、点灯駆動出力の電圧の高い期間が長くなり、点灯駆動出力の電圧が通常時電圧まで降下するときには、冷陰極管は充分に温まった状態となっている。また、冷陰極管の温度が低くないときでは、短時間のうちに点灯駆動出力の電圧が通常時電圧まで降下する。また、インバータ回路に入力される直流出力の電圧を段階的に変化させる場合では、点灯駆動出力の電圧が段階的に変化するので、冷陰極管の輝度は微少な幅でもって変化する。このため、構成が簡単化された昇圧トランスを用いるときにも、電気的構成の複雑化を招くことなく、温度が低いときにも冷陰極管を確実に点灯させることができ、且つ、冷陰極管の点灯の開始を確実なものとするときにも、点灯駆動出力の電圧が高いことが原因となる冷陰極管の劣化を抑制することができ、且つ、冷陰極管の点灯の開始後の輝度の不足を防止するときにも、点灯駆動出力の電圧の高い期間の長さが原因となる冷陰極管の劣化を抑制することができ、且つ、表示される画像の明るさの変化を目立たないものとすることができる。
【００２４】
また本考案によれば、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温時においても点灯を確実に開始させることが可能なグロー放電を得られる電圧が印加される。また、インバータ回路に入力される直流出力の電圧を、初期時電圧から通常時電圧に切り換える制御は簡単な制御となる。このため、構成が簡単化された昇圧トランスを用いるときにも、電気的構成の複雑化を招くことなく、温度が低いときにも冷陰極管を確実に点灯させることができる。
【００２５】
また、さらに、冷陰極管の温度が低いときには点灯駆動出力の電圧が高くなって、点灯を確実なものとする。また、冷陰極管の温度が低くないときには、点灯駆動出力の電圧が低くなって、冷陰極管に印加される電圧が過度に高くなることが抑制される。このため、冷陰極管の点灯の開始を確実なものとするときにも、点灯駆動出力の電圧が高いことが原因となる冷陰極管の劣化を抑制することができる。
【００２６】
また、さらに、冷陰極管の温度が低いときには、点灯駆動出力の電圧の高い期間が長くなり、点灯駆動出力の電圧が通常時電圧まで降下するときには、冷陰極管は充分に温まった状態となっている。また、冷陰極管の温度が低くないときでは、短時間のうちに点灯駆動出力の電圧が通常時電圧まで降下する。このため、冷陰極管の点灯の開始後の輝度の不足を防止するときにも、点灯駆動出力の電圧の高い期間が長くなることにより生じる冷陰極管の劣化を抑制することができる。
【００２７】
また本考案によれば、点灯の開始時では、点灯駆動出力の電圧は高くなる。このため、構成が簡単化された昇圧トランスを用いたことから、点灯開始時のリンギングパルスのレベルが低くなるときにも、冷陰極管には、低温となるときにも点灯を確実に開始させることが可能なグロー放電を得られる電圧が印加される。また、インバータ回路に入力される直流出力の電圧を、第１の直流出力から第２の直流出力に切り換える制御は簡単な制御となる。このため、構成が簡単化された昇圧トランスを用いるときにも、電気的構成の複雑化を招くことなく、温度が低いときにも冷陰極管を確実に点灯させることができる。
【考案を実施するための最良の形態】
【００２８】
以下、本考案の実施の形態について図を参照して説明する。
【実施例１】
【００２９】
図２は、本考案に係る液晶表示装置の第１の実施形態の電気的構成を示すブロック図である。
【００３０】
図において、バックライト３１は、液晶パネル３２の後方に設けられた長方形状の面光源であり、冷陰極管２や図示されない導光板、等を備えている。信号処理回路３３は、外部より入力された映像信号に対して所定処理を行うことにより得られた制御信号や映像信号をドライブ回路３４に出力する。ドライブ回路３４は、信号処理回路３３より出力される制御信号や映像信号に基づき、液晶パネル３２のＸ方向の駆動（ソース駆動）とＹ方向の駆動（ゲート駆動）とを行うことによって、液晶パネル３２に画像を表示する。
【００３１】
図１は、冷陰極管２を点灯駆動する駆動部分の電気的構成を示すブロック線図であり、図９に示す従来技術と同一となる素子やブロックには、図９における符号と同一符号を付与している。
【００３２】
同図においては、大別すると、インバータ回路１、冷陰極管２、スイッチング電源（請求項記載の電源部）３、マイクロコンピュータ（以下では、マイコンと称する）４、および、温度センサ５を備えている。そして、温度センサ５は、冷陰極管２の温度（あるいは冷陰極管２の近傍の温度）を検出し、検出結果をマイコン４に送出する。なお、マイコン４、および、温度センサ５は、図示されない直流出力を動作電源として動作する。
【００３３】
インバータ回路１は、冷陰極管２を点灯する点灯駆動出力を生成する。このため、スイッチング制御回路１１、昇圧トランスＴ１、トランジスタＱ１，Ｑ２、抵抗Ｒ１，Ｒ２、および、コンデンサＣ１を備えている。
【００３４】
昇圧トランスＴ１は、一次コイルＬ１と二次コイルＬ２とが同軸に巻回されるとともに、磁束を漏洩させるギャップの無い磁気回路によって一次コイルＬ１と二次コイルＬ２とが、密に結合されたトランスとなっている。すなわち、構造が簡単なために、部品原価が安価なトランスとなっている。
【００３５】
従って、一次コイルＬ１に流れる電流がスイッチングされる場合、二次コイルＬ２には、図３の４２に示した点灯駆動出力が現れる。この点灯駆動出力におけるリンギングパルスのレベルをＶ１１により示し、一次コイルＬ１と二次コイルＬ２との巻線比によって定まる出力電圧をＶ１２により示すとすると、一次コイルＬ１と二次コイルＬ２との結合の度合いが大きいので、リンギングパルスのレベルは小さく、比率（Ｖ１１／Ｖ１２）は小さな値となる。つまり、点灯駆動出力のＰ−Ｐ値は、一次コイルＬ１と二次コイルＬ２との巻線比によって定まる出力電圧Ｖ１２より少し大きい程度の値に留まる。
【００３６】
上記した波形の点灯駆動出力を送出する二次コイルＬ２は、コンデンサＣ１を介して、冷陰極管２に接続されている。また、一次コイルＬ１のセンタタップには、スイッチング電源３が出力する直流出力２１が導かれている。また、一次コイルＬ１の端部側端子は、それぞれに対応するトランジスタＱ１，Ｑ２のコレクタに接続されている。そして、トランジスタＱ１，Ｑ２のそれぞれのエミッタは接地されている。また、トランジスタＱ１，Ｑ２のそれぞれのベースには、それぞれに対応する抵抗Ｒ１，Ｒ２を介して、スイッチング制御回路１１からの出力が導かれている。
【００３７】
スイッチング制御回路１１は、トランジスタＱ１がオンとなるときにはトランジスタＱ２をオフにし、トランジスタＱ１がオフとなるときにはトランジスタＱ２をオンにする。このため、一次コイルＬ１に流れる電流がスイッチングされ、二次コイルＬ２には、冷陰極管２を点灯駆動するための点灯駆動出力が発生する。
【００３８】
スイッチング電源３は、図示されない商用電源を一次側電源として、インバータ回路１の動作電源となる直流出力２１を生成する。なお、直流出力２１の電圧については、マイコン４により指示された電圧に安定化する。すなわち、電圧制御回路１３は、マイコン４からの指示が１５Ｖを示す場合、１５Ｖに対する直流出力２１の電圧誤差を検出して、一次側に帰還することにより、直流出力２１の電圧を１５Ｖに安定化させる。また、マイコン４からの指示が１２Ｖを示す場合、１２Ｖに対する直流出力２１の電圧誤差を検出して、一次側に帰還することにより、直流出力２１の電圧を１２Ｖに安定化させる。
【００３９】
なお、スイッチング電源３は、マイコン４の指示に従い、直流出力２１の電圧を、１５Ｖ、１４Ｖ、１３Ｖ、および、１２Ｖの４種の電圧に安定化することが可能に構成されている。また、インバータ回路１は、例えば、１５インチの液晶パネル３２に適用されるときでは、直流出力２１の電圧が１２Ｖ（通常時電圧）となる場合に、点灯駆動出力の実効値（ｒｍｓ）が、標準値である１１８０Ｖとなるように構成される。
【００４０】
マイコン４は、液晶表示装置としての主要動作を制御する。このため、図示されないリモートコントローラに電源オフの指示が入力されたときにはスイッチング電源３の動作を停止させ、電源オンの指示が入力されたときにはスイッチング電源３の動作を開始させる。また、信号処理回路３３の動作を制御することによって、液晶パネル３２に表示される画像の輝度やコントラスト等を、ユーザの指示した輝度やコントラストに設定する。また、その機能の一部でもって点灯制御手段１５を構成する。
【００４１】
点灯制御手段１５は、図示されないリモートコントローラに電源オンの指示が入力され、冷陰極管２の点灯の開始となるときには、スイッチング電源３がインバータ回路１に供給する直流出力２１の電圧を、通常時電圧より高い電圧である初期時電圧に設定する。そして、冷陰極管２の点灯を開始して後、所定の期間が経過したときには、スイッチング電源３を制御することによって、直流出力２１の電圧を通常時電圧に向かって、段階的に降下させる（直流出力２１の電圧の変化については、後に詳述する）。
【００４２】
また、点灯制御手段１５は、温度センサ５により検出された温度が高くなるときには低くなる方向に、前記温度が低くなるときには高くなる方向に、検出された温度に対応して初期時電圧を変化させる。また、温度センサ５により検出された温度が高くなるときには短くなる方向に、前記温度が低くなるときには長くなる方向に、検出された温度に対応して初期電圧印加期間（インバータ回路１に初期時電圧を供給して後、インバータ回路１に供給する電圧を通常時電圧まで降下させる期間）を変化させる。
【００４３】
上記構成からなる実施形態の動作を説明する。
【００４４】
図示されないリモートコントローラ等に電源オンの指示が入力されると、マイコン４は、温度センサ５により検出された温度を調べる。そして、検出された温度が、０度〜１０度、１０度〜２０度、および、２０度以上の範囲の３種の範囲のうち、どの範囲となっているかを調べる。そして、０度〜１０度の範囲となっているときには、直流出力２１の電圧が１５Ｖとなるように設定して、スイッチング電源３の動作を開始させる。このため、インバータ回路１には１５Ｖの直流出力２１が動作電源として供給される。
【００４５】
従って、冷陰極管２には、１１８０Ｖを（１５／１２）倍した電圧が印加される。このため、冷陰極管２は、管の温度が０度〜１０度であるときにも、安定したグロー放電を生じ、確実に点灯を開始する。且つ、管の温度が低いにもかかわらず、充分な輝度でもって発光する。そして後、点灯制御手段１５は、温度センサ５によって検出された温度に対応して定まる期間を算出する（この期間は、温度が高くなる程に短くなる値として算出される）。なお、算出される値は、例えば、０度〜１０度のときでは１分３０秒、１０度〜２０度のときでは３０秒、２０度以上のときでは１０秒となっている。
【００４６】
そして後、点灯制御手段１５は、１分３０秒が経過したときには、直流出力２１の電圧を１５Ｖから１４Ｖに降下させる。そして、さらに、１分３０秒が経過したときには、直流出力２１の電圧を１４Ｖから１３Ｖに降下させる。そして、さらに、１分３０秒が経過したときには、直流出力２１の電圧を１２Ｖに降下させ、以後では、直流出力２１の電圧を１２Ｖに維持する（図４の５１により示す電圧変化を参照）。従って、直流出力２１の電圧が１２Ｖ（通常時電圧）まで降下したときには、冷陰極管２の温度は充分に温まっているので、冷陰極管２は、標準値である１１８０Ｖの点灯駆動出力により、充分な輝度でもって発光を行う。
【００４７】
なお、請求項記載の初期電圧印加期間は、初期時電圧である１５Ｖの直流出力２１が送出されて後、直流出力２１の電圧が、通常時電圧である１２Ｖまで降下する期間であるため、上記した制御が行われる場合の初期電圧印加期間は４分３０秒となる。
【００４８】
上記した動作は、温度センサ５によって検出された温度が０度〜１０度の範囲の場合であったが、温度センサ５によって検出された温度が１０度〜２０度の範囲であるときには、初期時電圧は１４Ｖに設定される。そして、以後、３０秒が経過する毎に、直流出力２１の電圧は、１４Ｖから１３Ｖに、１３Ｖから１２Ｖに降下する（図４の５２により示す電圧変化を参照）。従って、このときでは、初期電圧印加期間は１分となる。
【００４９】
また、温度センサ５によって検出された温度が２０度以上の範囲であるときには、初期時電圧は１３Ｖに設定される。そして、１０秒が経過したとき、直流出力２１の電圧は１３Ｖから１２Ｖに降下する（図４の５３により示す電圧変化を参照）。従って、このときでは、初期電圧印加期間は１０秒となる。
【実施例２】
【００５０】
以下に、本考案に係る第２の実施形態について説明する。図６は、第２の実施形態における冷陰極管２を点灯駆動する駆動部分の電気的構成を示すブロック線図である。なお、図１に示す実施形態と同一となる素子やブロックには、図１における符号と同一符号を付与し、説明を省略する。また、全体的な構成は、図２に示す構成と同一となるので、説明を省略する。
【００５１】
スイッチング電源（電源部）８は、インバータ回路１の動作電源となる直流出力であり、その電圧が通常時電圧より高い初期時電圧である第１の直流出力６１と、その電圧が通常時電圧である第２の直流出力６２とを生成する。なお、第１の直流出力６１の電圧は１５Ｖとなっており、第２の直流出力６２の電圧は１２Ｖとなっている。
【００５２】
点灯制御手段９は、冷陰極管２の点灯の開始となるときには、インバータ回路１に第１の直流出力６１を供給して冷陰極管２の点灯を開始する。そして、冷陰極管２の点灯を開始して後、所定の期間である初期電圧印加期間が経過したときには、インバータ回路１に供給する直流出力を、第１の直流出力６１から第２の直流出力６２に切り換える。また、温度センサ５により検出された温度が高くなるときには短くなる方向に、前記温度が低くなるときには長くなる方向に、前記温度に対応して初期電圧印加期間を変化させる。
【００５３】
このため、点灯制御手段９は、ダイオードＤ１、トランジスタＱ３，Ｑ４、抵抗Ｒ３，Ｒ４、および、マイコン７を備えている。そして、ダイオードＤ１のアノードには第２の直流出力６２が導かれ、カソードはインバータ回路１の電源入力に導かれている。また、トランジスタＱ３のエミッタには第１の直流出力６１が導かれ、コレクタはダイオードＤ１のカソードに接続されている。そして、トランジスタＱ３のベースは、抵抗Ｒ３を介して、トランジスタＱ４のコレクタに接続されており、トランジスタＱ４のベースには、抵抗Ｒ４を介して、マイコン７からの制御信号が導かれている。また、トランジスタＱ４のエミッタは接地されている。
【００５４】
このため、マイコン７が制御信号をＨレベルとするときには、トランジスタＱ４、トランジスタＱ３の双方がオンとなって、インバータ回路１には、１５Ｖの第１の直流出力６１が導かれる。また、制御信号をＬレベルとするときには、トランジスタＱ４、トランジスタＱ３の双方がオフとなって、インバータ回路１には、１２Ｖの第２の直流出力６２が導かれる。
【００５５】
上記構成からなる実施形態の動作を説明する。
【００５６】
図示されないリモートコントローラ等に電源オンの指示が入力されると、マイコン７は、スイッチング電源８の動作を開始させる。また、制御信号をＨレベルとすることによって、インバータ回路１に第１の直流出力６１を供給する。このため、冷陰極管２には、１１８０Ｖを（１５／１２）倍した電圧が印加される。その結果、冷陰極管２は、管の温度が０度近傍の低い温度となるときにも、安定したグロー放電を生じ、確実に点灯を開始する。且つ、管の温度が低いにもかかわらず、充分な輝度でもって発光する。
【００５７】
そして後、マイコン７は、温度センサ５によって検出された温度に対応して定まる期間を算出する（この期間は、温度が高くなる程に短くなる値として算出される）。なお、算出される値は、例えば、０度〜１０度のときでは５分、１０度〜２０度のときでは１分、２０度以上のときでは１０秒となっている。
【００５８】
このため、マイコン７は、温度センサ５により検出された温度が０度〜１０度の範囲にあるときには、５分が経過すると、制御信号をＬレベルとすることによって、インバータ回路１に供給する直流出力の電圧を、１５Ｖから１２Ｖに降下させ、以後、この状態を維持する。従って、直流出力２１の電圧が１２Ｖまで降下したときには、冷陰極管２の温度は充分に温まっているので、冷陰極管２は、標準値である１１８０Ｖの点灯駆動出力により、充分な輝度でもって発光を行う。
【００５９】
また、温度センサ５により検出された温度が１０度〜２０度の範囲にあるときには、マイコン７は、冷陰極管２の点灯を開始して後、１分が経過すると、インバータ回路１に供給する直流出力の電圧を、１５Ｖから１２Ｖに降下させ、以後、この状態を維持する。従って、直流出力２１の電圧が１２Ｖまで降下したときには、冷陰極管２の温度は充分に温まっているので、冷陰極管２は、標準値である１１８０Ｖの点灯駆動出力により、充分な輝度でもって発光を行う。
【００６０】
また、温度センサ５により検出された温度が２０度以上の範囲にあるときには、マイコン７は、冷陰極管２の点灯を開始して後、１０秒が経過すると、インバータ回路１に供給する直流出力の電圧を、１５Ｖから１２Ｖに降下させ、以後、この状態を維持する。従って、直流出力２１の電圧が１２Ｖまで降下したときには、冷陰極管２は、標準値である１１８０Ｖの点灯駆動出力により、充分な輝度でもって発光を行う。
【００６１】
なお、本考案は上記実施形態に限定されず、スイッチング電源３，８が出力する直流出力の電圧については、その他の電圧とすることができる。また、点灯駆動出力の電圧についても、その他の電圧とすることができる。
【００６２】
また、直流出力２１の電圧を４段階に変化させることが可能な構成とした場合について説明したが、３段階、あるいは、５段階、等の、任意の段階数とすることができる。
【図面の簡単な説明】
【００６３】
【図１】本考案に係る液晶表示装置の第１の実施形態の冷陰極管を点灯するブロックの電気的構成を示すブロック線図である。
【図２】液晶表示装置の実施形態の電気的構成を示すブロック図である。
【図３】点灯駆動出力の波形を示す説明図である。
【図４】インバータ回路に供給される直流出力の電圧変化を示す説明図である。
【図５】冷陰極管を点灯する点灯駆動出力の電圧の規格を示す説明図である。
【図６】第２の実施形態の冷陰極管を点灯するブロックの電気的構成を示すブロック線図である。
【図７】従来技術の電気的構成を示す回路図である。
【図８】従来技術における点灯駆動出力の波形を示す説明図である。
【図９】従来技術の電気的構成を示す回路図である。
【符号の説明】
【００６４】
１  インバータ回路
２  冷陰極管
３，８  スイッチング電源（電源部）
５  温度センサ
９，１５  点灯制御手段
２１  直流出力
３１  バックライト
３２  液晶パネル
６１  第１の直流出力
６２  第２の直流出力
Ｔ１  昇圧トランス
【図１】
0003108916.tif 000003
【図２】
0003108916.tif 000004
【図３】
0003108916.tif 000005
【図４】
0003108916.tif 000006
【図５】
0003108916.tif 000007
【図６】
0003108916.tif 000008
【図７】
0003108916.tif 000009
【図８】
0003108916.tif 000010
【図９】
0003108916.tif 000011